(57)【要約】  【課題】  利用者に応じた印刷態様の印刷物を提供することが容易な印刷システムを実現する。  【解決手段】  印刷物の利用者のグループを定め、利用者(35)と印刷態様(36)とを対応づけたグループデータ３２をグループごとに記憶しておき、選択されたグループについて、全ての利用者のために、かつ、各利用者のための印刷態様で印刷を行う。異なるグループに同一の利用者を含めることや、異なるグループに含まれる同一の利用者に異なる印刷態様を対応づけることもできる。【選択図】      図４
2005157716.tif 000002
【特許請求の範囲】
【請求項１】
印刷物の利用者に応じた印刷態様でデータを印刷する印刷システムにおいて、
１以上の利用者を含むグループを１以上定め、各グループに含まれる全ての利用者と各利用者用の印刷態様とを対応づけてグループごとに記憶しておき、
いずれかのグループを選択されて、選択されたグループに含まれる全ての利用者のために、同一のデータを各利用者用の印刷態様で印刷するグループ印刷モードを有することを特徴とする印刷システム。
【請求項２】
グループの追加および削除、ならびに、グループに含まれる使用者の追加、削除および各利用者用の印刷態様の変更を、使用者からの指示に応じて行うことを特徴とする請求項１に記載の印刷システム。
【請求項３】
グループ印刷モードで印刷したとき、選択されたグループを示す情報と印刷した日時を記憶することを特徴とする請求項１に記載の印刷システム。
【請求項４】
グループ印刷モードで印刷したとき、選択されたグループに含まれる全ての利用者と各利用者用の印刷態様を一覧表として印刷することを特徴とする請求項１に記載の印刷システム。
【請求項５】
グループ印刷モードで印刷するとき、印刷するデータに利用者を示す情報を加えて印刷することを特徴とする請求項１に記載の印刷システム。
【請求項６】
各グループに含まれる利用者のメールアドレスを記憶しておき、グループ印刷モードで印刷したとき、選択されたグループに含まれる利用者に、印刷したデータを電子メールによって送信することを特徴とする請求項１に記載の印刷システム。
【発明の詳細な説明】
【技術分野】
【０００１】
本発明は、データを印刷用紙に印刷する印刷システムに関し、特に、同一のデータを印刷物の利用者に応じた印刷態様で印刷することが容易な印刷システムに関する。
【背景技術】
【０００２】
プリンタ、複写機等の印刷装置では、印刷に際して、印刷部数および印刷態様（印刷物の仕上がり状態）を規定する要素を指定し得るようになっており、使用者は、所望の印刷態様で印刷された印刷物を所望の部数だけ得ることができる。しかし、印刷態様を規定する要素は、印刷用紙の大きさ、カラー印刷とモノクロ印刷、片面印刷と両面印刷等、種々あるため、印刷を行うごとにこれらの要素を指定することは、使用者にとって煩雑な操作である。
【０００３】
そこで、あらかじめいくつかの印刷態様を記憶しておき、使用者が選択した印刷態様で印刷を行うようにすることが提案されている。例えば、特開２０００−２３５４６６号では、使用者が目的に応じて印刷態様を定め得るようにした印刷システムが開示されている。
【特許文献１】特開２０００−２３５４６６号公報
【発明の開示】
【発明が解決しようとする課題】
【０００４】
上記のように印刷態様を何通りか定めて記憶しておくようにすれば、使用者が行うべき操作を低減することができて、印刷処理の能率が向上する。印刷部数を指定すれば、同一の印刷態様で印刷した印刷物を、指定した部数だけ得ることができる。
【０００５】
ところが、会議等の資料のように複数の者が利用する複数の印刷物を作成する場合には、それらの印刷物を全て同じ印刷態様とするのではなく、利用者に応じて印刷態様を変える必要が生じることもある。この場合、上記の方法を採用しても、一度の印刷処理では全ての利用者のための印刷物を得ることはできず、異なる印刷態様の数だけ印刷処理を行わなければならない。また、利用者が誰であるかを考慮しながら印刷態様を選択する必要も生じて、処理能率が低下する。
【０００６】
しかも、印刷物を作成した者が印刷物を利用者に配布するとは限らず、作成者と配布者が異なることも多い。その場合、どの印刷態様の印刷物をどの利用者に配布すべきかを、作成者から配布者に伝えなければならない。
【０００７】
本発明は、このような問題点に鑑みてなされたもので、利用者に応じた印刷態様の印刷物を提供することが容易な印刷システムを実現することを目的とする。さらに、提供する印刷物がどの利用者のためのものであるかを明確にし得る印刷システムを実現することを目的とする。
【課題を解決するための手段】
【０００８】
上記目的を達成するために、本発明では、印刷物の利用者に応じた印刷態様でデータを印刷する印刷システムにおいて、１以上の利用者を含むグループを１以上定め、各グループに含まれる全ての利用者と各利用者用の印刷態様とを対応づけてグループごとに記憶しておき、いずれかのグループを選択されて、選択されたグループに含まれる全ての利用者のために、同一のデータを各利用者用の印刷態様で印刷するグループ印刷モードを有するようにする。
【０００９】
この印刷システムでは、グループ印刷モードにより、選択されたグループに含まれる全ての利用者のために、かつ、各利用者に応じた印刷態様で、印刷物を作成することができる。したがって、同一のデータを異なる印刷態様で印刷するときの処理能率が高くなる。記憶しておくグループの数に制約はなく、各グループに含まれる利用者の数にも制約はない。さらに、異なるグループに同一の利用者を含めることが可能であり、異なるグループに含まれる同一の利用者の印刷態様を相違させることもできる。
【００１０】
グループの追加および削除、ならびに、グループに含まれる使用者の追加、削除および各利用者用の印刷態様の変更を、使用者からの指示に応じて行うようにするとよい。このようにすると、この印刷システムを採用する環境に応じてグループを設定することができて、処理能率が一層高くなる。
【００１１】
グループ印刷モードで印刷したとき、選択されたグループを示す情報と印刷した日時を記憶するようにするとよい。このようにすると、グループ印刷モードで行った印刷処理の履歴が残ることになり、使用者がグループを選択する際に、履歴を一覧表示して、使用者の選択操作を援助することができるようになる。
【００１２】
グループ印刷モードで印刷したとき、選択されたグループに含まれる全ての利用者と各利用者用の印刷態様を一覧表として印刷するようにしてもよい。印刷物の実際の印刷態様を一覧表に表された印刷態様と比較することで、各印刷物がどの利用者のためのものかが判り、利用者への印刷物の配布が容易になる。
【００１３】
グループ印刷モードで印刷するとき、印刷するデータに利用者を示す情報を加えて印刷するようにしてもよい。印刷物自体に利用者が記されることになり、利用者への印刷物の配布が容易になる。
【００１４】
各グループに含まれる利用者のメールアドレスを記憶しておき、グループ印刷モードで印刷したとき、選択されたグループに含まれる利用者に、印刷したデータを電子メールによって送信するようにしてもよい。このようにすると、利用者は、印刷物の入手に先立って、印刷内容を知ることができる。
【発明の効果】
【００１５】
グループ印刷モードを有する本発明の印刷システムによれば、一度の印刷処理で、同一のデータを、１つのグループに含まれる全ての利用者のために、かつ、利用者に応じた印刷態様で印刷することができる。また、複数のグループを定めることや、異なるグループに同一の利用者を含めることが可能であり、利用者に応じた印刷態様での印刷処理を柔軟に行うことができる。したがって、オフィスで様々な会議の資料を作成する処理がきわめて容易になる。
【００１６】
特に、選択されたグループに含まれる全ての利用者と各利用者用の印刷態様を一覧表として印刷したり、印刷するデータに利用者を示す情報を加えて印刷したりすると、印刷物がどの利用者のためのものであるかが明確になって、利用者への印刷物の配布が容易になる。
【発明を実施するための最良の形態】
【００１７】
以下、本発明の印刷システムの一実施形態である複写機について、図面を参照しながら説明する。本実施形態の複写機１の構成を図１に模式的に示す。複写機１は、制御部１１、記憶部１２、読取部１３、印刷部１４、操作部１５、表示部１６、通信部１７、および計時部１８を備えている。制御部１１は複写機１全体の動作を制御し、記憶部１２は、制御部１１の制御処理を記したプログラム、および、制御部１１が制御に用いるパラメータを記憶しており、また、画像をはじめ様々なデータを記憶する。
【００１８】
読取部１３は原稿から画像を読み取る。読取部１３は、複数の原稿から順に画像を読み取ることも可能である。読み取った画像は記憶部１２に記憶される。印刷部１４は記憶部１２が記憶している画像等のデータを印刷用紙に印刷する。
【００１９】
表示部１６は液晶パネルより成り、複写機１の設定状況、操作案内等を表示する。操作部１５は、複数の操作キーと、表示部１６の液晶パネルに重ねて設けられたタッチパネルより成り、使用者の操作を受け付ける。
【００２０】
通信部１７は、ＬＡＮケーブル２１に接続されており、ＬＡＮ（ローカルエリアネットワーク）上のパーソナルコンピュータ等と通信する。通信部１７は、また、公衆電話回線２２にも接続されており、インターネットを介しての通信や、外部のファクシミリ装置との通信も行う。パーソナルコンピュータ、インターネット、およびファクシミリ装置から受信したデータも記憶部１２に記憶される。
【００２１】
計時部１８はリアルタイムクロックより成り、実時刻を出力する。計時部１８の出力には、時、分、秒のほか、年、月、日も含まれる。
【００２２】
このような構成の複写機１は、複写機としてだけではなく、プリンタおよびファクシミリ装置としても機能する。複写機としての機能は、読取部１３により原稿から画像を読み取って、印刷部１４によりその画像を印刷することで実現される。プリンタとしての機能は、通信部１７を介してパーソナルコンピュータから受信したデータを印刷部１４により印刷することで実現される。また、ファクシミリ装置としての機能は、読取部１３により読み取った画像を通信部１７を介して他のファクシミリ装置に送信し、通信部１７を介して他のファクシミリ装置から受信した画像を印刷部１４により印刷することで実現される。
【００２３】
複写機１は、印刷に関して、通常印刷モードとグループ印刷モードを有する。通常印刷モードは、印刷処理を行うごとに、印刷部数および印刷態様を規定する諸要素を使用者が指定するモードである。印刷部数および印刷態様を規定する諸要素の指定を省略することも可能であり、その場合、複写機１は、印刷部数および印刷態様を規定する諸要素を、あらかじめ定められている値（デフォルト値）に設定する。
【００２４】
グループ印刷モードは、あらかじめ、印刷物の利用者を１名以上含むグループを１つまたは複数定めて、各グループに含まれる利用者と印刷態様とを対応づけてグループごとに記憶しておき、使用者によって選択されたグループに含まれる全ての利用者のために、同一のデータを各利用者用の印刷態様で印刷するモードである。グループ印刷モードでの印刷部数は、利用者１名当たり１部である。
【００２５】
複写機１は、グループ印刷モードのために、グループに関する情報を記したデータベースを有している。このデータベースは記憶部１２に記憶されている。データベースの内容を図２に模式的に示す。データベース３０には、アドレスデータ３１と、１以上のグループデータ３２と、履歴データ３３が含まれる。
【００２６】
アドレスデータ３１の具体例を図３に示す。アドレスデータ３１には、印刷物の利用者の氏名と、各利用者の電子メールアドレスが含まれており、利用者の氏名とメールアドレスは対応づけられている。氏名に代えて、利用者を特定し得る他の情報、例えば、会社における役職名を含めることもできる。アドレスデータ３０は、複写機１の使用者が設定する。アドレスデータ３０の設定に際しては、表示部１６にキーボード像を表示する。使用者は、タッチパネルのうちキーボード像のキーに対応する部位に触れてキーを選択することにより、入力を行っていく。以下、このように、タッチパネルのうち表示部１６に表示した像に対応する部分に触れてその像を選択することを、単に、タッチパネルを介して選択するという。
【００２７】
グループデータ３２の具体例を図４に示す。図４において、（ａ）および（ｂ）はそれぞれ異なるグループのグループデータ３２を表している。グループデータ３２には、グループ名３４と、各利用者の氏名（または利用者を特定する情報）３５と、印刷態様３６と、印刷態様には関係しない付帯情報３７が含まれており、利用者の氏名（または利用者を特定する情報）３５と印刷態様３６と付帯情報３７は対応づけられている。
【００２８】
印刷態様３６を規定する要素には、（１）印刷用紙の大きさ（サイズ）、（２）カラー印刷をするかモノクロ印刷をするか、（３）印刷用紙として一方の面に既に印刷されている再生用紙を用いるか未使用の用紙を用いるか、（４）印刷用紙の両面に印刷するか片面のみに印刷するか、（５）印刷用紙の１ページに通常の何ページ分のデータを印刷するか、（６）ページ番号を印刷するか否か、（７）印刷用紙の最初のページに使用者の氏名（または使用者を特定する情報）を印刷するか否か、が含まれる。また、付帯情報３７は、印刷終了時に、印刷したデータを電子メールによって使用者に送信するか否かである。
【００２９】
グループデータ３２も複写機１の使用者が設定する。使用者は、グループの追加、削除、および内容の変更をすることができる。グループの内容の変更には、利用者の追加、削除、印刷態様を規定する要素の値の変更、付帯情報の値の変更が含まれる。利用者の追加に際しては、アドレスデータ３１から利用者を選択する。
【００３０】
異なるグループに同一の利用者を含めることが可能であり、また、異なるグループに含まれる同一の利用者に同一の印刷態様を対応づけることも、異なる印刷態様を対応づけることもできる。なお、同一のグループに同一の利用者を含めることはできない。
【００３１】
グループデータ３２の設定に際して表示部１６に表示する案内画面の例を図５の（ａ）に示す。この例は、既存のグループデータ３２を変更するときのものである。先頭にグループ名３４が表示され、その下に、グループに含まれる各利用者の氏名（または使用者を特定する情報）３５と、印刷態様３６を規定する要素（前述の（１）〜（７））の値と、付帯情報３７の値が並べて表示される。
【００３２】
タッチパネルを介してグループ名３４を選択すると、キーボード像が表示され、その中のキーをタッチパネルを介して選択することで、グループ名３４を入力することができる。また、利用者の氏名３５をタッチパネルを介して選択し、削除を指示する所定の操作を行うことで、その利用者をグループから削除することができる。
【００３３】
グループに含まれる全利用者の氏名３５の下には、空白の欄が表示され、これに並べて、印刷態様３６を規定する要素のデフォルト値と、付帯情報３７のデフォルト値が表示される。この空白の欄をタッチパネルを介して選択すると、アドレスデータ３１が表示される。表示されたアドレスデータ３１に含まれるいずれかの氏名をタッチパネルを介して選択すると、空白の欄にその氏名が表示される。これで、グループに利用者を追加することができる。なお、使用者の氏名３５の欄を空白のままにしておけば、その使用者はグループに加えられない。
【００３４】
印刷態様３６を規定する各要素の値と付帯情報３７の値を表示する欄はプルダウンメニューとなっており、使用者は、各欄に表示されている下向きの三角形をタッチパネル介して選択することで、値の候補を表示させることができる。値の候補を表示した例を図５の（ｂ）に示す。表示されたいずれかの値をタッチパネルを介して選択することで、値を変更することができる。なお、図５（ｂ）は、印刷態様３６を規定する要素と付帯情報３７の全てについて値の候補を示したもので、一度に表示される候補は選択した三角形の欄のものに限られる。
【００３５】
グループの追加に際しては、最初、空白のグループ名３４が表示される。上記のようにしてグループ名３４を入力すると、図５（ａ）の最も下の部分と同様に、空白にした利用者の氏名３５と、印刷態様３６を規定する要素のデフォルト値と、付帯情報のデフォルト値が表示される。その後、上記のようにして利用者を追加していく。
【００３６】
グループの削除に際しては、グループ名３４の一覧表が表示される。いずれかのグループ名３４をタッチパネルを介して選択し、削除を指示する所定の操作を行うことで、そのグループをデータベース３０から削除することができる。なお、グループの削除は、印刷システム１の管理責任者のみが行い得るようにしてもよい。
【００３７】
グループデータ３２の管理に関する複写機１の処理の流れを図６のフローチャートに示す。まず、グループを追加（新たに登録）する指示が与えられたか否かを判定する（＃ステップ１００）。その指示が与えられたときは、使用者の操作に応じてグループ名を設定し（＃１０２）、そのグループ名を記憶部１２の所定の領域に記憶する（＃１０４）。次いで、アドレスデータ３１を表示し（＃１０６）、その中から使用者の操作に応じてメンバー（利用者）を選択し（＃１０８）、さらに、そのメンバー用の印刷態様３６を設定して（＃１１０）、そのメンバーと印刷態様３６を記憶する（＃１１２）。
【００３８】
その後、メンバーを追加する指示が与えられたか否かを判定し（＃１１４）、指示が与えられたときはステップ＃１０６に戻る。メンバー追加の指示が与えられないときは、ステップ＃１０４、＃１１２で記憶した情報を読み出して、グループデータ３２としてデータベース３０に登録し（＃１１６）、ステップ＃１８０に進む。
【００３９】
ステップ＃１００の判定でグループ追加の指示が与えられなかったときは、グループを削除する指示が与えられたか否かを判定する（＃１２０）。その指示が与えられたときは、グループリスト（グループ名の一覧表）を表示し（＃１２２）、その中から使用者の操作に応じてグループを選択する（＃１２４）。そして、そのグループのグループデータ３２をデータベース３０から削除して（＃１２６）、ステップ＃１８０に進む。
【００４０】
ステップ＃１２０の判定でグループ削除の指示が与えられなかったときは、グループを更新（グループデータの内容の変更）する指示が与えられたか否かを判定する（＃１３０）。その指示が与えられたときは、グループリストを表示し（＃１３２）、その中から使用者の操作に応じてグループを選択する（＃１３４）。
【００４１】
次いで、グループ名３４を変更する指示が与えられたか否かを判定し（＃１３６）、その指示が与えられたときは、使用者の操作に応じてグループ名３４を設定し（＃１３８）、そのグループ名３４を記憶する（＃１４０）。そして、ステップ＃１６８に進む。
【００４２】
ステップ＃１３６の判定でグループ名変更の指示が与えられなかったときは、メンバーを追加する指示が与えられたか否かを判定する（＃１４２）。その指示が与えられたときは、アドレスデータ３１を表示し（＃１４４）、その中から使用者の操作に応じてメンバーを選択し（＃１４６）、さらに、そのメンバー用の印刷態様を設定する（＃１４８）。そして、そのメンバーと印刷態様を記憶して（＃１５０）、ステップ＃１６８に進む。
【００４３】
ステップ＃１４２の判定でメンバー追加の指示が与えられなかったときは、いずれかのメンバーの印刷態様３６を変更する指示が与えられたか否かを判定する（＃１５２）。その指示が与えられたときは、グループデータ３２を表示し（＃１５４）、使用者の操作に応じて印刷態様３６を変更する（＃１５６）。なお、図５（ａ）に示したように、印刷態様３６はどのメンバーについても行うことが可能であり、また、付帯情報３７もここで変更することができる。印刷態様３６または付帯情報３７を変更した後、それらを対応するメンバーと共に記憶して（＃１５８）、ステップ＃１６８に進む。
【００４４】
ステップ＃１５２の判定で印刷態様変更の指示が与えられなかったときは、メンバーを削除する指示が与えられたか否かを判定する（＃１６０）。その指示が与えられたときは、グループデータ３２を表示し（＃１６２）、使用者の操作に応じてメンバーを選択して（＃１６４）、選択したメンバーを削除することを記憶する（＃１６６）。そして、ステップ＃１６８に進む。ステップ＃１６０の判定でメンバー削除の指示が与えられなかったときも、ステップ＃１６８に進む。
【００４５】
ステップ＃１６８では、変更を終了する指示が与えられたか否かを判定する。その指示が与えられなかったときは、ステップ＃１４２に戻る。これで、ステップ＃１３４で選択したグループについて、メンバー追加、印刷態様変更、およびメンバー削除の処理を連続して行うことができる。
【００４６】
ステップ＃１６８の判定で変更終了の指示が与えられたときは、ステップ＃１３４で選択したグループのグループデータ３２の内容を、ステップ＃１４０、＃１５０、＃１５８、＃１６６で記憶した内容に更新する（＃１７０）。そして、ステップ＃１８０に進む。
【００４７】
ステップ＃１８０では、データベース３０の管理処理を終了する指示が与えられたか否かを判定する。その指示が与えられないときは、ステップ＃１００に戻る。これで、グループの登録、削除、および変更を連続して行うことができる。管理処理を終了する指示が与えられたときは、処理を終了する。
【００４８】
グループ印刷モードでは、印刷に先立ちグループを選択するが、グループの選択方法には、グループリストを表示してその中から選択する方法と、グループ印刷モードでの印刷処理の履歴（印刷日時と選択したグループ）を記憶しておき、履歴リスト（履歴の一覧表）を表示して、その中から選択する方法がある。印刷日時は印刷処理終了時に計時部１８の出力より求める。印刷処理の履歴はデータベース３０の履歴データ３３に記憶される。
【００４９】
印刷モードの選択に際して表示部１６に表示する案内画面を図７に示す。この表示には通常印刷モードを選択するためのボタンと、グループ印刷モードを選択するための２つのボタンが含まれる。通常印刷モードを選択するためのボタンには、使用者が印刷態様を個別に指定することを示す表示が付され、グループ印刷モードを選択するためのボタンには、グループをグループリストから選択するか履歴リストから選択するかを示す表示が付される。使用者がいずれかのボタンをタッチパネルを介して選択することで、印刷モードが決定される。
【００５０】
グループ印刷モードが選択されたときの案内画面を図８に示す。図８において、（ａ）はグループリストからグループを選択するときのもので、グループリスト３８が表示され、（ｂ）は履歴リストからグループを選択するときのもので、履歴リスト３９が表示される。グループリスト３８には各グループのグループ名が含まれ、履歴リスト３９にはグループ名に加えて、印刷日時が含まれる。なお、履歴リスト３９中の履歴は、新しいものから順に並べられる。
【００５１】
グループリスト３８および履歴リスト３９の横には、上向きと下向きの三角形を表すボタンが表示される。タッチパネルを介してこれらのボタンを選択することで、リスト３８、３９を上下にスクロールすることができる。
【００５２】
グループ印刷モードでは、選択したグループに含まれる全ての利用者の氏名（または利用者を特定する情報）３５と各利用者の印刷態様３６を一覧表として印刷することもできる。この一覧表を表示するか否かは使用者が決める。図８（ａ）、（ｂ）の表示には「メンバーリスト印刷」と記したボタン４０も加えられており、タッチパネルを介してボタン４０を選択することで、一覧表の印刷を指示することができる。
【００５３】
印刷した一覧表の例を図９に示す。一覧表４１には、全ての利用者の氏名（または利用者を特定する情報）３５と各利用者の印刷態様３６のほか、グループ名３４も含まれる。各利用者の氏名３５の横には、四角形４２が印刷される。これは、印刷物の配布時に利用するためのものである。例えば、印刷物を利用者に配布するごとに、その利用者の横の四角形４２にチェックを付せば、配布済みの利用者と未配布の利用者の区別が明確になる。
【００５４】
前述のように、印刷態様３６を規定する要素には、印刷用紙の最初のページに使用者の氏名（または使用者を特定する情報）３５を印刷するか否かも含まれる。使用者の氏名を印刷した印刷物の例を図１０に示す。最初のページには、使用者の氏名３５に加えて、グループ名３４も印刷される。
【００５５】
グループ印刷モードでは、グループを選択した後、印刷を開始する前に、そのグループのグループデータ３２を変更することができる。この変更には、メンバーの追加、削除、および各メンバーの印刷態様の変更が含まれる。変更したグループデータ３２は、印刷後に廃棄することが可能であり、また、変更後のグループデータ３２でデータベース３０を更新することもできる。さらに、変更後のグループデータ３２をデータベース３０に追加（新たなグループデータ３２として登録）することも可能である。データベース３０に追加する際には、グループ名３４を設定し直しておく。
【００５６】
通常印刷モードでは、印刷態様３６の要素を個別に設定するが、設定した印刷態様３６に利用者の氏名（または利用者を特定する情報）３５を加えてグループデータ３２とし、これをデータベース３０に追加することができる。その際、グループデータ３２にはグループ名３４を加えておく。なお、この場合のグループは単一の利用者のみを含むことになるが、後に、図６に示した処理を行って利用者を増すことができる。
【００５７】
このように、印刷処理を行う際に、グループデータ３２の変更や新たなグループデータ３２の追加を行い得るようにすることで、グループ印刷モードの使い勝手が一層向上する。また、通常印刷モードで設定した印刷態様３６をグループ印刷モードで利用することも可能になり、グループデータ３２の設定のための操作を低減することができる。
【００５８】
複写機１の印刷処理の流れを図１１のフローチャートに示す。まず、グループリスト３８からグループを選択する指示が与えられたか否かを判定する（ステップ＃２００）。その指示が与えられたときは、グループリスト３８を表示し（＃２０２）、使用者の操作に応じてグループを選択する（＃２０４）。
【００５９】
ステップ＃２００の判定でグループリスト３８からの選択指示が与えられなかったときは、履歴リスト３９からグループを選択する指示が与えられたか否かを判定する（＃２１０）。その指示が与えられたときは、履歴リスト３９を表示し（＃２１２）、使用者の操作に応じてグループを選択する（＃２１４）。
【００６０】
ステップ＃２０４または＃２１４でグループを選択した後、そのグループのグループデータ３２を記憶部１２のデータベース３０から読み出して（＃２２０）、表示部１６に表示する（＃２２２）。次いで、グループデータ３２の一部を変更する指示が与えられたか否かを判定し（＃２２４）、指示が与えられなければ、印刷を行う（＃２４０）。
【００６１】
変更指示が与えられたときは、使用者の操作に応じてグループデータ３２を変更し（＃２２６）、データベース３０の更新を行う指示が与えられたか否かを判定する（＃２２８）。更新指示が与えられたときは、データベース３０中の変更前のグループデータ３２を変更後のグループデータ３２で置き換え（＃２３０）、変更後のグループデータ３２に従って印刷を行う（＃２４０）。
【００６２】
ステップ＃２２８の判定で更新指示が与えられなかったときは、変更後のグループデータ３２をデータベース３０に追加（新たなグループとして登録）する指示が与えられたか否かを判定する（＃２３２）。追加指示が与えられたときは、使用者の操作に応じてグループ名３４を新たに設定し（＃２３４）、変更後のグループデータ３２をデータベース３０に加える（＃２３６）、そして、変更後のグループデータ３２に従って印刷を行う（＃２４０）。追加指示が与えられなかったときは、変更後のグループデータ３２に従って印刷を行う（＃２４０）。
【００６３】
ステップ＃２４０の印刷では、前述のボタン４０（図８）の操作によって一覧表の印刷が指示されていたか否かも判定し、指示されていたときは、グループに含まれる全ての利用者の氏名（または利用者を特定する情報）３５と各利用者の印刷態様３６の一覧表４１を印刷する。印刷終了後、その時点での日時と選択されたグループをデータベース３０の履歴データ３３に追加する（＃２４２）。さらに、各利用者の付帯情報３７が電子メールの送信を示しているか否かを判定し（＃２４４）、送信を示している付帯情報３７があれば、その利用者のメールアドレスをデータベース３０中のアドレスデータ３１から得て、印刷したデータを電子メールで送信する（＃２４６）。その後、印刷処理を終了する。
【００６４】
ステップ＃２１０の判定で履歴リスト３９からのグループ選択の指示が与えられなかったとき、すなわち、通常印刷モードが選択されたときは、使用者の操作に応じて印刷態様３６と印刷部数を設定する（＃２５０）。そして、設定した印刷態様３６をグループデータ３２としてデータベース３０に追加する指示が与えられたか否かを判定し（＃２５２）、その指示がなければ、印刷を行って（＃２６０）、印刷処理を終了する。
【００６５】
ステップ＃２５２の判定でデータベース３０への追加の指示が与えられたときは、使用者の操作に応じてグループ名３４を設定し（＃２５４）、さらに、利用者の氏名（または利用者を特定する情報）３５を設定して（＃２５６）、これらと、ステップ＃２５０で設定した印刷態様３６を含むグループデータ３２をデータベース３０に加える（＃２５８）。そして、印刷を行って（＃２６０）、印刷処理を終了する。
【００６６】
図１１の印刷処理は、原稿から画像を読み取った後にまとめて行うようにしてもよいし、実際の印刷（ステップ＃２４０、＃２６０）よりも前の処理を、原稿から画像を読み取る前に行うようにしてもよい。
【００６７】
複写機１をＬＡＮを介してパーソナルコンピュータのプリンタとして利用する場合、図１１の印刷処理は、パーソナルコンピュータ上で行う。この場合、印刷システムは複写機１とパーソナルコンピュータとで構成されることになる。図６に示したグループデータ３２の管理処理をパーソナルコンピュータで行うようにしてもよい。パーソナルコンピュータは、キーボード、マウス等の入力装置を有しており、グループデータ３２の管理処理は、複写機１自体で行うよりも能率がよくなる。アドレスデータ３１の管理処理も、パーソナルコンピュータで行えば能率が向上する。
【図面の簡単な説明】
【００６８】
【図１】本発明の一実施形態の複写機の構成を模式的に示す図。
【図２】上記複写機が有するデータベースの内容を模式的に示す図。
【図３】上記複写機のデータベースに含まれるアドレスデータの具体例を示す図。
【図４】上記複写機のデータベースに含まれるグループデータの具体例を示す図。
【図５】上記複写機がグループデータの設定に際して表示する案内画面の例を示す図。
【図６】上記複写機のグループデータの管理に関する処理の流れを示すフローチャート。
【図７】上記複写機が印刷モードの選択に際して表示する案内画面を示す図。
【図８】グループ印刷モードが選択されたときに上記複写機が表示する案内画面を示す図。
【図９】上記複写機がグループ印刷モードで印刷する利用者と印刷態様の一覧表の例を示す図。
【図１０】上記複写機がグループ印刷モードで利用者の氏名を含めて印刷した印刷物の例を示す図。
【図１１】上記複写機の印刷処理の流れを示すフローチャート。
【符号の説明】
【００６９】
１    複写機
１１    制御部
１２    記憶部
１３    読取部
１４    印刷部
１５    操作部
１６    表示部
１７    通信部
１８    計時部
２１    ＬＡＮケーブル
２２    公衆電話回線
３０    データベース
３１    アドレスデータ
３２    グループデータ
３３    履歴データ
３４    グループ名
３５    利用者氏名
３６    印刷態様
３７    付帯情報
３８    グループリスト
３９    履歴リスト
４０    一覧表印刷指示ボタン
４１    グループデータ一覧表
【図１】
2005157716.tif 000003
【図２】
2005157716.tif 000004
【図３】
2005157716.tif 000005
【図４】
2005157716.tif 000006
【図５】
2005157716.tif 000007
【図６】
2005157716.tif 000008
【図７】
2005157716.tif 000009
【図８】
2005157716.tif 000010
【図９】
2005157716.tif 000011
【図１０】
2005157716.tif 000012
【図１１】
2005157716.tif 000013